(57)【特許請求の範囲】
【請求項１】
２本のアームと結合部材によって構成された平行リンクを利用して収納ラックを使用位置及び格納位置に引き出し自在に保持するリンク式収納装置において、
前記結合部材とアームとの締結部分の一方に突出先端が平らな膨出面となった膨出部が設けられ、
前記結合部材と前記アームとが、膨出面と膨出面に対向する面との間に保持部材を介して軸により回動自在に締結され、
保持部材は、膨出面に面接触する面積よりも膨出面に対向する面に面接触する面積のほうが大きくされており、
前記軸は、
アームにおける結合部材とは反対側の側面に接するつば状部と、
つば状部と同芯となるように連設され且つ該つば状部よりも小径となり、先端がアームにおけるつば状部が位置する側とは反対側の面と略面一状とされた円筒部と、
円筒部と同芯となるように連設され且つ該円筒部よりも小径となり、保持部材及び結合部材を貫通した柱状部とを備え、
円筒部の柱状部側の端面と柱状部の先端との間で柱状部の先端をかしめることで結合部材及び保持部材を軸に固着し、保持部材とつば状部とでアームを回動自在に保持したことを特徴とするリンク式収納装置。
【請求項２】
アームと結合部材の間に配置した保持部材を平板状とした請求項１記載のリンク式収納装置。
【請求項３】
アームと結合部材の間に配した保持部材は、結合部材と当接する当接部を有する形状とした請求項１記載のリンク式収納装置。
【発明の詳細な説明】
【０００１】
【発明の属する技術分野】
本発明は、住居内などにおいて各種の物品を収納する際に利用する収納装置であり、詳しくは平行リンク機構により収納体を移動させるリンク式収納装置のリンク部の締結構造に関するものである。
【０００２】
【従来の技術】
従来のこの種のリンク式収納装置にあっては、図６、図７に示すように、収納キャビネット１の内面両側に設けた取付基台２に支持アーム３ａ、３ｂよりなる平行リンク３を回動自在に取り付け、平行リンク３の自由端部間に収納ラック４を支持し、収納ラック４を収納キャビネット１内の格納位置と同前部下方に下降させた使用取り出し位置との間で昇降自在な構成としている。取り付け基台２内部には収納ラック４を引き上げる方向に附勢するばね（図示せず）を配して収納物品の荷重と釣り合わせ、使用者が収納ラック４を押し上げる力を補助したり、収納物品の荷重により収納ラックが急激に降下するのを緩和するためのダンパー機構（図示せず）を具備して、収納ラック４の昇降動作をスムーズにしている。
【０００３】
また、平行リンク３と収納ラック４の締結構造は、アーム３ａ、３ｂの先端部に取付板５を配し、取付板５にフランジ６ａを有する軸６をかしめ、軸６にアーム３ａ、３ｂおよび座金７を回動自由に差込み、軸６に形成された溝部６ｂにＥ型留め輪８を差込み固定する。この状態で取付板５に収納ラック４を引っ掛け、この取付板５を収納ラック４内側より、ビスにて固定するようにようになっていた。
【０００４】
【発明が解決しようとする課題】
しかしながら上記従来の昇降収納装置の平行リンク３と収納ラック４の締結構造では、収納ラック４の昇降動作時に発生するアーム３ａ、３ｂと取付板５の間のガタを減らすために、部品点数が多く、締結までの作業工数もかかり、またＥ型留め輪８が露出し、外観が悪いという課題があった。
【０００５】
本発明は上記問題点を解決すべく、構造が簡便で、コスト的にも安価でかつ、外観上も見栄えの良いリンク式収納装置の平行リンクと収納ラックの締結構造を提供することを目的とする。
【０００６】
【課題を解決するための手段】
上記課題を解決するため本発明のリンク式収納装置は、２本のアームと結合部材によって構成された平行リンクを利用して収納ラックを使用位置及び格納位置に引き出し自在に保持するリンク式収納装置において、前記結合部材とアームとの締結部分の一方に突出先端が平らな膨出面となった膨出部が設けられ、前記結合部材と前記アームとが、膨出面と膨出面に対向する面との間に保持部材を介して軸により回動自在に締結され、保持部材は、膨出面に面接触する面積よりも膨出面に対向する面に面接触する面積のほうが大きくされており、前記軸は、アームにおける結合部材とは反対側の側面に接するつば状部と、つば状部と同芯となるように連設され且つ該つば状部よりも小径となり、先端がアームにおけるつば状部が位置する側とは反対側の面と略面一状とされた円筒部と、円筒部と同芯となるように連設され且つ該円筒部よりも小径となり保持部材及び結合部材を貫通した柱状部とを備え、円筒部の柱状部側の端面と柱状部の先端との間で柱状部の先端をかしめることで結合部材及び保持部材を軸に固着し、保持部材とつば状部とでアームを回動自在に保持したものである。
【０００７】
上記発明によれば構造が簡便で、昇降動作時の挙動が安定（収納ラックの横ぶれを押さえる）し、コスト的にも安価でかつ外観上も見栄えの良いリンク式収納装置を提供することができる。
【０００８】
【発明の実施の形態】
本発明の請求項１にかかるリンク式収納装置は、２本のアームと結合部材によって構成された平行リンクを利用して収納ラックを使用位置及び格納位置に引き出し自在に保持するリンク式収納装置において、前記結合部材とアームとの締結部分の一方に突出先端が平らな膨出面となった膨出部が設けられ、前記結合部材と前記アームとが、膨出面と膨出面に対向する面との間に保持部材を介して軸により回動自在に締結され、保持部材は、膨出面に面接触する面積よりも膨出面に対向する面に面接触する面積のほうが大きくされており、前記軸は、アームにおける結合部材とは反対側の側面に接するつば状部と、つば状部と同芯となるように連設され且つ該つば状部よりも小径となり、先端がアームにおけるつば状部が位置する側とは反対側の面と略面一状とされた円筒部と、円筒部と同芯となるように連設され且つ該円筒部よりも小径となり保持部材及び結合部材を貫通した柱状部とを備え、円筒部の柱状部側の端面と柱状部の先端との間で柱状部の先端をかしめることで結合部材及び保持部材を軸に固着し、保持部材とつば状部とでアームを回動自在に保持したものである。
【０００９】
そして、結合部材と、アームと、軸と、アームと結合部材の間に介在させたアームに面接触する保持部材によって結合部材とアームとの締結を行うことにより、構造が簡便で、コスト的にも安価でかつ外観上も見栄えの良いリンク式収納装置を提供することができる。
【００１０】
また、アームに面接触する保持部材が膨出部による接触面積より大きな面積でアームと接しているため、アームと結合部材間の軸方向のがたつきを減少させることができ、収納ラックの昇降動作時における挙動を安定させることができる。
【００１２】
そして、つばがアーム側面に接するように構成したことにより、簡易な構造で部品点数と締結までの作業工数を軽減でき、外観上の見栄えも良く、アームと結合部材間だけでなく外側の軸方向のがたつきをも減少させることができ、収納ラックの昇降動作時における挙動をより安定させることができる。
【００１３】
本発明の請求項２にかかるリンク式収納装置は、アームと結合部材の間に配した保持部材を、平板状としたものである。
【００１４】
そして、保持部材が平板状であるので、ラック体の昇降動作時における挙動を安定させるという所定の目的を充分達成させつつ、成形が簡単でコスト的にも最も有利なものとすることができる。
【００１５】
本発明の請求項３にかかるリンク式収納装置は、アームと結合部材の間に配した保持部材が、結合部材と当接する当接部を有する形状である。
【００１６】
そして、昇降動作時に発生する左右方向への振れを、当接部が結合部材に当接して更に抑制するため、結合部材の振れをより抑制することができ、収納ラックの昇降動作時における挙動を更に安定させることができる。
【００１７】
【実施例】
以下、本発明の実施例について図面を用いて説明する。
【００１８】
（実施例１）
図１は本発明の実施例１のアームと結合部材の締結構造を採用したリンク式収納装置の収納ラックを外した状態を示す外観斜視図、図２は同アームと結合部材の締結構造を採用したリンク式収納装置の外観斜視図、図３は同アームと結合部材の締結部における要部断面図である。
【００１９】
以下、本発明の一実施例となるリンク式収納機構の締結構造について図１〜図３を参照しながら説明する。
【００２０】
図１、図２に示すように本実施例のリンク式収納装置は、収納キャビネット９と、この前面に設けられた左右に開閉する扉１０と、物品を収納する収納ラック１１を備え、かつ前記収納ラック１１を自由端部に支持して上下方向への移動をなし得る平行リンク１２、および平行リンク１２の動作を抑制または附勢する手段（図示せず）を内蔵した昇降支持装置基台１３が、収納キャビネット９の内側面９ａに一対装着され構成されている。平行リンク１２は、基台１３に設けられた軸１３ａに枢支され両側面で対向し合う後部回転アーム１２ａと、同基台１３に設けられた軸１３ｂおよび枢軸１４により連結一体化され同体回動する前部回転アーム１２ｂと、前後各回転アーム１２ａ、１２ｂの自由端を連結する結合部材である収納ラック取付板１５によりリンクが構成されている。そして平行リンクの収納ラック取付板１５を介して平行リンク１２と収納ラック１１が連結されている。また収納ラック１１は両側板１１ａと、背面と底面が一体となる収納ラック板１１ｂおよび網棚１１ｃと、前端下部のハンドル１１ｄから構成されている。１６は、基台１３に設けられた停止機構で、平行リンク１２の格納時の位置を位置決めするものである。
【００２１】
図３に示すように収納ラック取付板１５には、回転アーム１２ａを回動可能に保持する為のクリアランス確保のため、膨出部１５ａが形成されており、膨出部１５ａ上に、膨出部１５ａの表面積より大きな面積で回転アーム１２ａに面接触する保持部材１７が載置され、保持部材１７上に回転アーム１２ａを位置させて軸１８を回転アーム１２ａ、保持部材１７、収納ラック取付板１５の順に貫通させて、軸１８の段差収納ラック取付板側端部１８ａをかしめて締結している。保持部材１７は金属などで形成された平板状のものであり、軸１８の段差面１８ｂと、収納ラック取付板１５の膨出面１５ｂ間に密着保持されている。軸１８は円筒形であり、円筒部１８ｃがアームに設けられた穴に挿通され、またアーム側端部に設けられたつば状部１８ｄがアーム側面に当接し、前述の収納ラック取付板側端部１８ａのかしめにより回転アーム１２ａ、保持部材１７、収納ラック取付板１５を締結する。収納ラック取付板１５と保持部材１７の孔をアーム１２ａの孔より径小とし、かつ軸１８の円筒部１８ｃはアーム孔径よりわずかに小さな外径でかつ回転アーム１２ａの厚みよりわずかに大きな長さとするとともに、軸１８の柱状部１８ｅは収納ラック取付板１５と保持部材１７の孔に嵌合する外径で収納ラック取付板１５と保持部材１７の厚みよりかしめ分だけ長くしている。
【００２２】
次に動作、作用について説明すると、ハンドル１４ｄを握り収納ラック１１を収納キャビネット９から引き出すと、回転アーム１２ａ、１２ｂに支持された収納ラック１１が降下し、収納ラック１１を所定の上下位置の間で昇降移動させることができる。
【００２３】
収納時においては、収納ラック１１は平行リンク１２の回転アーム１２ａ、１２ｂが垂直位置よりやや後方に傾いた位置で停止機構１６の一方端に当接して停止し、収納ラック１１引出し時には、後部回転アーム１２ａがほぼ水平位置になったとき後部回転アーム１２ａの後端が停止機構１６の他方端に当接して、収納ラック１１が停止するようになっている。
【００２４】
収納ラック１１と回転アーム１２ａを締結させる際には、回転アーム１２ａ、保持部材１７、収納ラック取付板１５の順に位置させ、各々に設けられた穴に軸１８を貫通させ、軸１８の収納ラック取付板側端部１８ａをかしめて締結する。
【００２５】
収納ラック取付板１５と保持部材１７の孔をアーム１２ａの孔より径小とするとともに、軸１８の円筒部１８ｃはアーム孔径よりわずかに小さな外径でかつ回転アーム１２ａの厚みよりわずかに大きな長さとしているので、回転アーム１２ａと軸１８の間にはクリアランスが確保され、回転アーム１２ａは締結一体化された収納ラック取付板１５、軸１８、保持部材１７に対して、軸鉛直面に回動自在に回転する。そして、軸１８の柱状部１８ｅは収納ラック取付板１５と保持部材１７の孔に嵌合する外径で収納ラック取付板１５と保持部材１７の厚みよりかしめ分だけ長くしているので、軸１８の収納ラック取付板側端部１８ａをかしめて締結すると、円筒部１８ｃと収納ラック取付板側端部１８ａ間に配された収納ラック取付板１５と保持部材１７は円筒部１８ｃと収納ラック取付板側端部１８ａ間に強固に固定されることとなり、回転アーム１２ａの回転運動に影響されて緩んだり回転したりすることがないと同時に、簡易な構造で部品点数と締結までの作業工数を軽減でき、外観上の見栄えも良くすることができる。
【００２６】
収納ラック１１の昇降移動時において、回転アーム１２ａは軸１８に形成されたつば状の面１８ｄと収納ラック取付板１５の膨出面１５ｂよりも広い面積を持つ保持部材１７の面１７ａとにはさまれて回動しているため、回転アーム１２と収納ラック取付板１５間の軸方向のがたつきを減少させることができ、収納ラック１１を上下方向の力だけでなく、左右方向の力を加えて昇降動作させたときでも、収納ラック１１の昇降動作時の挙動を安定させることができる。そして、つば状部１８ｄがアーム側面に当接するように構成したことにより、簡易な構造で外観上の見栄えも良く、アームと取付板間だけでなく外側の軸方向のがたつきをも減少させることができ、ラック体の昇降動作時における挙動をより安定させることができる。
【００２７】
（実施例２）
図４は本発明の実施例２のアームと結合部材の締結構造を示す要部断面図である。本実施例２において実施例１と異なる点は、保持部材１７に収納ラック取付板１５の平面部１５ｃに当接する当接部１７ｂを設けた立体的な形状とした点である。
【００２８】
なお、実施例１と同一符号のものは同一構造を有し、説明は省略する。
【００２９】
次に動作、作用を説明すると、保持部材１７を回転アーム１２ａのみに面接触する平板状ではなく、当接部１７ｂを設け、収納ラック取付板１５の平面部１５ｃにも当接する立体的な形状としたことにより、収納ラック１１の昇降動作時に収納ラック取付板１５にかかる左右方向への振れを回転アーム１２ａに面接触する保持部材１７の当接部１７ｂが取付板１５の平面部１５ｃに当接して抑制するため、回転アーム１２ａの振れをより抑制でき、収納ラック１１の昇降動作時における挙動をより安定させることができる。
【００３０】
（実施例３）
図５は本発明の実施例３のアームと取付板の締結構造を示す要部断面図である。本実施例３において実施例２と異なる点は、収納ラック取付板１５に収納ラック取付板１５と収納ラック１１の側板１１ａを締結する為のビス用穴１９を設け、保持部材１７に形成された当接部１７ｂを肉厚形成し、当接部１７ｂにねじ孔１９に螺合されたねじ（図示せず）を回避する為の回避部１７ｃを設けた点である。
【００３１】
なお、実施例１と同一符号のものは同一構造を有し、説明は省略する。
【００３２】
次に動作、作用を説明すると、保持部材１７を回転アーム１２ａのみに面接触する平板状ではなく、当接部１７ｂを設け、収納ラック取付板１５の平面部１５ｃにも当接する立体的な形状としたことにより、収納ラック１１の昇降動作時に収納ラック取付板１５にかかる左右方向への振れを回転アーム１２ａに面接触する保持部材１７の当接部１７ｂが取付板１５の平面部１５ｃに当接して抑制するため、回転アーム１２ａの振れをより抑制でき、収納ラック１１の昇降動作時における挙動をより安定させることができることは実施例２と同様であるが、当接部１７ｂを肉厚形成したことにより、収納ラック取付板１５の平面部１５ｃに当接する当接面積が増加し、回転アーム１２ａの振れを更に抑制することができ、収納ラック１１の昇降動作時における挙動を更に安定させることができるとともに、回避部１７ｃによりねじ孔１９に螺合されたねじを隠すことができ、外観も向上するとともに、ねじの先端の保護にもなり安全性の向上も図れる。
【００３３】
なお、上記各実施例において例示した収納装置は、上部格納位置から下部使用位置へ収納ラックを下降させる昇降収納装置であり、またリンク式収納装置をキャビネットの内部に収めたもので説明したが、これに限らず、平行リンク機構を用いて収納部を移動させる収納装置全てにこのリンク部の締結構造は活用できるものである。
【００３４】
なおまた、上記各実施例において、平行リンクの一端の結合部材を昇降支持装置基台１３とし、回転アーム１２ａ、１２ｂの自由端を連結する他端の結合部材を収納ラック取付板１５としたが、結合部材となるものはこれに限らない。２本のアームと、このアームの端部同士を結合して平行リンクを構成するものはすべて本願発明に含まれる。また、収納ラック取付板１５に回転アーム１２ａを回動可能に保持する為のクリアランス確保のため膨出部１５ａを形成し、基台１３にも同様に膨出部１５ａを形成し、回転アーム１２ａ、保持部材１７、収納ラック取付板１５の順に位置させ、各々に設けられた穴に軸１８を貫通させ、軸１８の収納ラック取付板側端部１８ａをかしめて締結する締結構造をここに使用しても、本願発明の要旨を損なうものではない。そして上記膨出部１５ａはいずれの場合も回転アーム側に設けてもよいものである。
【００３５】
なおまた、上記各実施例においては軸１８は円筒形としたが、これに限らず円筒部１８ｃのみを円筒形とし、柱状部１８ｅを多数の角部を有する角柱としても本願発明の目的を達成することができるのもである。保持部材１７、取付板１５に設けられた穴も、柱状部の断面形状に対応する形状とする。この構成によると、回転アーム１２ａは締結一体化された収納ラック取付板１５、軸１８、保持部材１７に対して軸鉛直面に回動自在に保持される一方、回動動作の必要のない収納ラック取付板１５および保持部材１７が回動するおそれが全くなくなり、より好適なリンク式収納装置の締結構造を提供することができる。
【００３６】
【発明の効果】
以上説明したように本発明の請求項１にかかるリンク式収納装置は、構造が簡便で、コスト的にも安価でかつ外観上も見栄えの良いリンク式収納装置を提供することができる。また、アームに面接触する保持部材が膨出部による接触面積より大きな面積でアームと接しているため、アームと結合部材間の軸方向のがたつきを減少させることができ、収納ラックの昇降動作時における挙動を安定させることができる。
【００３７】
そのうえ、部品点数と締結までの作業工数を軽減でき、外観上の見栄えも良く、アームと結合部材間だけでなく外側の軸方向のがたつきをも減少させることができ、収納ラックの昇降動作時における挙動をより安定させることができる。
【００３８】
本発明の請求項２にかかるリンク式収納装置は、ラック体の昇降動作時における挙動を安定させるという所定の目的を充分達成させつつ、成形が簡単でコスト的にも最も有利とすることができる。
【００３９】
本発明の請求項３にかかるリンク式収納装置は、昇降動作時に発生する左右方向への振れを、当接部が結合部材に当接して更に抑制するため、結合部材の振れをより抑制することができ、ラック体の昇降動作時における挙動を更に安定させることができる。
【図面の簡単な説明】
【図１】本発明の実施例１のリンク式収納装置の収納ラックを外した状態を示す外観斜視図
【図２】同リンク式収納装置の外観斜視図
【図３】同アームと結合部材の締結部における拡大断面図
【図４】本発明の実施例２のアームと結合部材の締結部を示す拡大断面図
【図５】本発明の実施例３のアームと結合部材の締結部を示す拡大断面図
【図６】従来のリンク式収納装置の側面断面図
【図７】従来のリンク式収納装置のアームと結合部材の締結部を示す拡大断面図
【符号の説明】
１１  収納ラック
１２  平行リンク
１２ａ  後部回転アーム
１２ｂ  前部回転アーム
１３  昇降支持装置基台
１５  収納ラック取付板（結合部材）
１５ａ  膨出部
１５ｂ  膨出面
１５ｃ  平面部
１７  保持部材
１７ａ  保持部材と回転アームの接触面
１７ｂ  当接部
１７ｃ  回避部
１８  軸
１８ａ  取付板側端部
１８ｂ  段差面
１８ｃ  柱状部
１８ｄ  つば状部
１８ｅ  柱状部
【図１】
0004461517.tif 000002
【図２】
0004461517.tif 000003
【図３】
0004461517.tif 000004
【図４】
0004461517.tif 000005
【図５】
0004461517.tif 000006
【図６】
0004461517.tif 000007
【図７】
0004461517.tif 000008